(57)【要約】【課題】表示に対する自由度を向上して、ユーザにとっての利便性を向上することができる読取表示装置、読取表示方法およびコンピュータプログラムを提供する。【解決手段】読取表示装置１は、載置された原稿を読み取る読取面１０ａと画像を表示する表示面１０ｂとが一体とされた読取表示面１０と、読取表示面１０の上の原稿を読取画像データ４０ａとして読み取る読取手段２０と、読取画像データ４０ａを解析して、原稿の読取表示面１０での読取座標を特定する画像解析手段５１と、読取座標に基づいて、読取表示面１０に表示する際の読取表示面１０での表示座標を演算する座標演算手段５２と、座標演算手段５２の演算結果に基づいて、読取画像データ４０ａを元に表示画像データ４０ｂを作成する画像処理手段５３と、表示画像データ４０ｂを読取表示面１０に表示する表示手段３０とを備える。【選択図】図１
2011239350.tif 000002
【特許請求の範囲】
【請求項１】
載置された原稿を読み取る読取面と画像を表示する表示面とが一体とされた読取表示面を備える読取表示装置であって、
前記読取表示面の上の原稿を読取画像データとして読み取る読取手段と、
前記読取画像データを解析して、原稿の前記読取表示面での読取座標を特定する画像解析手段と、
前記読取座標に基づいて、前記読取表示面に表示する際の前記読取表示面での表示座標を演算する座標演算手段と、
前記座標演算手段の演算結果に基づいて、前記読取画像データを元に表示画像データを作成する画像処理手段と、
前記表示画像データを前記読取表示面に表示する表示手段とを備えること
を特徴とする読取表示装置。
【請求項２】
請求項１に記載の読取表示装置であって、
前記座標演算手段は、前記読取座標に対して予め設定された移動量に基づく演算を施して前記表示座標を算出する構成とされていること
を特徴とする読取表示装置。
【請求項３】
請求項２に記載の読取表示装置であって、
前記移動量は、前記読取座標により特定される位置と前記表示座標により特定される位置とが一致するように設定されていること
を特徴とする読取表示装置。
【請求項４】
請求項２に記載の読取表示装置であって、
前記移動量は、前記読取座標により特定される位置と前記表示座標により特定される位置とが異なる位置となるように設定されていること
を特徴とする読取表示装置。
【請求項５】
請求項４に記載の読取表示装置であって、
前記画像解析手段は、原稿の大きさを特定する構成とされ、
前記移動量は、前記原稿の大きさを元に設定されていること
を特徴とする読取表示装置。
【請求項６】
請求項２から請求項５までのいずれか１つに記載の読取表示装置であって、
前記移動量を設定するための移動量設定手段を備えること
を特徴とする読取表示装置。
【請求項７】
読取表示装置に、載置された原稿を読み取る読取面と画像を表示する表示面とが一体とされた読取表示面での読取および表示をさせるための読取表示方法であって、
読取表示装置に、前記読取表示面の上の原稿を読取画像データとして読み取らせる読取ステップと、
読取表示装置に、前記読取画像データを解析して、原稿の前記読取表示面での読取座標を特定させる画像解析ステップと、
読取表示装置に、前記読取座標に基づいて、前記読取表示面に表示する際の前記読取表示面での表示座標を演算させる座標演算ステップと、
読取表示装置に、前記座標演算ステップの演算結果に基づいて、前記読取画像データを元に表示画像データを作成させる画像処理ステップと、
読取表示装置に、前記表示画像データを前記読取表示面に表示させる表示ステップとを実行させること
を特徴とする読取表示方法。
【請求項８】
コンピュータに、載置された原稿を読み取る読取面と画像を表示する表示面とが一体とされた読取表示面での読取および表示をさせるためのコンピュータプログラムであって、
コンピュータに、前記読取表示面の上の原稿を読取画像データとして読み取らせる読取ステップと、
コンピュータに、前記読取画像データを解析して、原稿の前記読取表示面での読取座標を特定させる画像解析ステップと、
コンピュータに、前記読取座標に基づいて、前記読取表示面に表示する際の前記読取表示面での表示座標を演算させる座標演算ステップと、
コンピュータに、前記座標演算ステップの演算結果に基づいて、前記読取画像データを元に表示画像データを作成させる画像処理ステップと、
コンピュータに、前記表示画像データを前記読取表示面に表示させる表示ステップとを実行させること
を特徴とするコンピュータプログラム。
【発明の詳細な説明】
【技術分野】
【０００１】
本発明は、画像の読取と表示とを行う読取表示装置、読取表示方法およびコンピュータに読取と表示とをさせるためのコンピュータプログラムに関する。
【背景技術】
【０００２】
従来、紙などの平面で構成された原稿を画像データとして読み取るスキャナ装置は、多種多様なものが考案されている。一般的に、これらのスキャナ装置を用いたとき、スキャナ装置で読み取った画像データを、パーソナルコンピュータ（ＰＣ）などの外部の端末に転送して、外部の端末において各種の作業が行われる。
【０００３】
近年、技術の進歩に伴って、様々な機器において小型化や高機能化が検討されており、スキャナ装置においても同様のことが要求されている。そこで、画像を表示する表示装置と画像を読み取るスキャナ装置とを一体とする装置が提案されている（例えば、特許文献１および特許文献２参照）。従来のスキャナ装置および表示装置には、情報を読み取る読取面と画像を表示する表示面とを一体とした読取表示面が設けられている。表示、スキャンという２つの機能を１つの機器で実現するため、スキャナ装置および表示装置には、２つの装置を小型化するという観点で非常に大きな貢献がある。
【先行技術文献】
【特許文献】
【０００４】
【特許文献１】特開２００４−１５３３２７号公報
【特許文献２】特開２００６−１７９９７７号公報
【発明の概要】
【発明が解決しようとする課題】
【０００５】
しかしながら、特許文献１の表示装置および特許文献２のスキャナ装置では、原稿をスキャンする面と画像を表示する面とを同一面としているため、考慮しなければならないことがある。例えば、スキャンした画像を表示する位置については、ユーザにとっての利便性に関わるため非常に重要である。従来の表示装置およびスキャナ装置においては、スキャンした画像を表示する位置について変更する手段がないため、表示に対する自由度が制限されている。
【０００６】
本発明は、上記の課題を解決するためになされたものであり、表示に対する自由度を向上して、ユーザにとっての利便性を向上することができる読取表示装置、読取表示方法およびコンピュータプログラムを提供することを目的とする。
【課題を解決するための手段】
【０００７】
本発明に係る読取表示装置は、載置された原稿を読み取る読取面と画像を表示する表示面とが一体とされた読取表示面を備える読取表示装置であって、前記読取表示面の上の原稿を読取画像データとして読み取る読取手段と、前記読取画像データを解析して、原稿の前記読取表示面での読取座標を特定する画像解析手段と、前記読取座標に基づいて、前記読取表示面に表示する際の前記読取表示面での表示座標を演算する座標演算手段と、前記座標演算手段の演算結果に基づいて、前記読取画像データを元に表示画像データを作成する画像処理手段と、前記表示画像データを前記読取表示面に表示する表示手段とを備えることを特徴とする。
【０００８】
この構成によると、座標演算手段によって、画像を表示する位置を変更できるので、原稿のサイズに応じて、読取表示面の適切な位置に原稿が表示される。そのため、表示に対する自由度を向上して、ユーザにとっての利便性を向上することができる。
【０００９】
本発明に係る読取表示装置では、前記座標演算手段は、前記読取座標に対して予め設定された移動量に基づく演算を施して前記表示座標を算出する構成とされていることを特徴とする。
【００１０】
この構成によると、座標演算手段によって、ユーザにとって望ましい位置に原稿の画像を表示できる。
【００１１】
本発明に係る読取表示装置では、前記移動量は、前記読取座標により特定される位置と前記表示座標により特定される位置とが一致するように設定されていることを特徴とする。
【００１２】
この構成によると、読取表示面に載置した原稿と、読取表示面に表示された原稿の画像とが重なるため、読み取り可能な原稿のサイズを大きくすることができる。つまり、読取表示面において、原稿を読み取った領域と同じ領域に原稿の画像が表示されるので、原稿の画像を表示するための新たな領域を設ける必要が無い。そのため、読取表示面と略等しいサイズの原稿を読み取って、表示することができる。
【００１３】
本発明に係る読取表示装置では、前記移動量は、前記読取座標により特定される位置と前記表示座標により特定される位置とが異なる位置となるように設定されていることを特徴とする。
【００１４】
この構成によると、読取表示面に表示画像が表示されたとき、ユーザは原稿と原稿の画像との両方を視覚的に把握できるので、原稿の読み取りが完了したことをすばやく認知できる。
【００１５】
本発明に係る読取表示装置では、前記画像解析手段は、原稿の大きさを特定する構成とされ、前記移動量は、前記原稿の大きさを元に設定されていることを特徴とする。
【００１６】
この構成によると、読取表示面に表示画像が表示されたとき、ユーザは原稿と原稿の画像との両方を視覚的に把握できるので、原稿の読み取りが完了したことをすばやく認知できる。また、原稿のサイズに関わらず、原稿の画像は、原稿に近い位置に表示されるので、ユーザからの見た目に統一感を持たせることができる。
【００１７】
本発明に係る読取表示装置は、前記移動量を設定するための移動量設定手段を備えることを特徴とする。
【００１８】
この構成によると、移動量設定手段によって、ユーザにとってさらに望ましい位置に原稿の画像を表示でき、表示に対する自由度を向上できる。
【００１９】
本発明に係る読取表示方法は、読取表示装置に、載置された原稿を読み取る読取面と画像を表示する表示面とが一体とされた読取表示面での読取および表示をさせるための読取表示方法であって、読取表示装置に、前記読取表示面の上の原稿を読取画像データとして読み取らせる読取ステップと、読取表示装置に、前記読取画像データを解析して、原稿の前記読取表示面での読取座標を特定させる画像解析ステップと、読取表示装置に、前記読取座標に基づいて、前記読取表示面に表示する際の前記読取表示面での表示座標を演算させる座標演算ステップと、読取表示装置に、前記座標演算ステップの演算結果に基づいて、前記読取画像データを元に表示画像データを作成させる画像処理ステップと、読取表示装置に、前記表示画像データを前記読取表示面に表示させる表示ステップとを実行させることを特徴とする。
【００２０】
この構成によると、本発明に係る読取表示装置と同様の機能、作用を実現することができる。
【００２１】
本発明に係るコンピュータプログラムは、コンピュータに、載置された原稿を読み取る読取面と画像を表示する表示面とが一体とされた読取表示面での読取および表示をさせるためのコンピュータプログラムであって、コンピュータに、前記読取表示面の上の原稿を読取画像データとして読み取らせる読取ステップと、コンピュータに、前記読取画像データを解析して、原稿の前記読取表示面での読取座標を特定させる画像解析ステップと、コンピュータに、前記読取座標に基づいて、前記読取表示面に表示する際の前記読取表示面での表示座標を演算させる座標演算ステップと、コンピュータに、前記座標演算ステップの演算結果に基づいて、前記読取画像データを元に表示画像データを作成させる画像処理ステップと、コンピュータに前記表示画像データを前記読取表示面に表示させる表示ステップとを実行させることを特徴とする。
【００２２】
この構成によると、本発明に係る読取表示装置と同様の機能、作用を実現することができる。
【発明の効果】
【００２３】
本発明に係る読取表示装置、読取表示方法およびコンピュータプログラムによれば、座標演算手段によって、画像を表示する位置を変更できるので、原稿のサイズに応じて、適切な位置に原稿が読取表示面に表示される。そのため、表示に対する自由度を向上して、ユーザにとっての利便性を向上することができる。
【図面の簡単な説明】
【００２４】
【図１】本発明の実施の形態に係る読取表示装置の概略構成を示すブロック図である。
【図２】指示入力手段、入力制御手段およびＣＰＵの動作を説明する説明図である。
【図３】原稿が載置された読取表示面を示す説明図である。
【図４Ａ】表示画像データの表示例１を示す説明図である。
【図４Ｂ】表示例１を表示した読取表示面を示す説明図である。
【図５Ａ】表示画像データの表示例２を示す説明図である。
【図５Ｂ】表示例２を表示した読取表示面を示す説明図である。
【図６Ａ】表示画像データの表示例３を示す説明図である。
【図６Ｂ】表示例３を表示した読取表示面を示す説明図である。
【図７】本実施の形態に係る読取表示装置で、原稿の読み取りと表示とをする場合の処理フローを示すフロー図である。
【発明を実施するための形態】
【００２５】
以下、本発明の実施の形態に係る読取表示装置について、図面に基づいて説明する。
【００２６】
図１は、本発明の実施の形態に係る読取表示装置の概略構成を示すブロック図である。
【００２７】
本実施の形態に係る読取表示装置１は、載置された原稿を読み取る読取面１０ａと画像を表示する表示面１０ｂとが一体とされた読取表示面１０を備える。つまり、読取表示面１０の全面に読取面１０ａおよび表示面１０ｂの２層が形成されている。
【００２８】
読取表示装置１は、読取表示面１０に載置された原稿を読取画像データ４０ａとして読み取る読取手段２０と、読取画像データ４０ａを解析して、原稿の読取表示面１０での読取座標を特定する画像解析手段５１と、特定した読取座標に基づいて、読取表示面１０に表示する際の読取表示面１０での表示座標を演算する座標演算手段５２と、座標演算手段５２の演算結果に基づいて、読取画像データ４０ａを元に表示画像データ４０ｂを作成する画像処理手段５３と、表示画像データ４０ｂを読取表示面１０に表示する表示手段３０とを備える。
【００２９】
この構成によると、座標演算手段５２によって、画像を表示する位置を変更できるので、原稿のサイズに応じて、読取表示面の適切な位置に原稿が表示される。そのため、表示に対する自由度を向上して、ユーザにとっての利便性を向上することができる。
【００３０】
座標演算手段５２は、読取座標に対して予め設定された移動量に基づく演算を施して表示座標を算出する構成とされている。この構成によると、座標演算手段５２によって、ユーザにとって望ましい位置に原稿の画像を表示できる。
【００３１】
読取表示装置１は、移動量を設定するための移動量設定手段５４を備える。この構成によると、移動量設定手段５４によって、ユーザにとってさらに望ましい位置に原稿の画像を表示でき、表示に対する自由度を向上できる。
【００３２】
読取表示装置１は、上述の読取表示面１０、読取手段２０および表示手段３０に加えて、さらに画像データベース４０、ＣＰＵ５０、指示入力手段６０および入力制御手段７０を備える構成とされている。
【００３３】
画像解析手段５１、座標演算手段５２、画像処理手段５３および移動量設定手段５４は、ＣＰＵ５０（中央処理装置）に対して予め組み込まれたコンピュータプログラム（コンピュータ）によって実現される。
【００３４】
読取表示面１０において、読取面１０ａは、例えば、フォトダイオードセンサを２次元状に配列したものであり、表示面１０ｂは、例えば、画素ＴＦＴ素子を２次元状に配列したものである。読取表示面１０は、例えば、ガラス基板の全面に読取面１０ａと表示面１０ｂとの２層を形成した薄型平面デバイスである。
【００３５】
読取手段２０は、ＣＰＵ５０からの指示により動作し、読み取った読取画像データ４０ａを画像データベース４０に送信するものである。
【００３６】
表示手段３０は、ＣＰＵ５０からの指示により動作し、画像データベース４０に保存された表示画像データ４０ｂを読取表示面１０に送信するものである。
【００３７】
画像データベース４０は、読取画像データ４０ａおよび表示画像データ４０ｂを保存するものであって、通常の記憶装置を用いることができ、例えば、揮発性のＤＲＡＭ（Ｄｙｎａｍｉｃ  Ｒａｎｄｏｍ  Ａｃｃｅｓｓ  Ｍｅｍｏｒｙ）などで構成されるメモリである。
【００３８】
指示入力手段６０は、ユーザが指示を入力するためのボタン、キーボードおよびタッチパネルなどである。指示入力手段６０で入力された指示は、指示情報として入力制御手段７０に送信される。
【００３９】
入力制御手段７０は、指示入力手段６０からの指示情報を内部のレジスタに格納し、ＣＰＵ５０に通知するものである。ＣＰＵ５０は、入力制御手段７０からの通知の後、入力制御手段７０の内部のレジスタを読み出して、指示入力手段６０からの指示情報を得る。
【００４０】
ＣＰＵ５０は、読取表示装置１を制御するものであって、予め組み込まれたコンピュータプログラムとユーザが入力した指示とを元に各種の動作を決定するものである。
【００４１】
図２は、指示入力手段、入力制御手段およびＣＰＵの動作を説明する説明図である。
【００４２】
指示入力手段６０は、ユーザが指示を入力するための複数のボタン６１を備え、ボタン６１はそれぞれ入力制御手段７０に接続されている。
【００４３】
入力制御手段７０は、それぞれのボタン６１に対応するＧＰＩＯ（Ｇｅｎｅｒａｌ  Ｐｕｒｐｏｓｅ  Ｉｎｐｕｔ／Ｏｕｔｐｕｔ：汎用入出力）７１、それぞれのＧＰＩＯ７１に対応するステータスレジスタ７２およびステータスレジスタ７２に接続されたレジスタＩ／Ｆ７３を備える。
【００４４】
ＣＰＵ５０は、ＧＰＩＯ７１に接続されたインターラプトコントローラ５５およびレジスタＩ／Ｆ５６を備え、レジスタＩ／Ｆ５６は、レジスタアクセスバス８０を介してレジスタＩ／Ｆ７３に接続されている。
【００４５】
ユーザによりボタン６１が操作されると、ＧＰＩＯ７１は、ボタン６１からの信号を検知して、操作されたボタン６１に対応するステータスレジスタ７２に書き込む。同時に、ＧＰＩＯ７１は、ＣＰＵ５０のインターラプトコントローラ５５に対して割り込み通知を行う。ＣＰＵ５０は、ステータスレジスタ７２を読み出すことによって、ユーザから指示が入力されたことを検知する。
【００４６】
次に、読取画像データと表示画像データとの詳細について説明する。
【００４７】
図３は、原稿が載置された読取表示面を示す説明図である。
【００４８】
読取表示装置１では、矩形状の読取表示面１０の上に載置された原稿Ｔを元に読取画像データ４０ａが作成される。以下では説明のため、読取表示面１０の左上隅を原点（０，０）とし、右方向にｘ軸を下方向にｙ軸をとったときの座標とするが、座標系の設定はこれに限定されない。矩形状の原稿Ｔは、左上隅が読取座標（Ｓｘ，Ｓｙ）に位置している。原稿Ｔの大きさは、ｘ軸方向の長さが横幅Ｗであって、ｙ軸方向の長さが縦幅Ｈであることから、原稿Ｔの右下隅は原稿右隅座標（Ｓｘ＋Ｗ，Ｓｙ＋Ｈ）である。なお、原稿Ｔは読取表示面１０の上における任意の座標に載置することができる。また、読取座標を原稿Ｔの左上隅としたが、これに限定されず、例えば、原稿Ｔの中央、右上隅などであってもよい。
【００４９】
画像データベース４０に保存された読取画像データ４０ａは、画像解析手段５１によって解析され、原稿Ｔのエッジ検出が行われる。原稿Ｔのエッジ検出によって、原稿Ｔの外周の判定をして、読取座標（Ｓｘ，Ｓｙ）と原稿Ｔの大きさ（横幅Ｗ、縦幅Ｈ）とが特定される。
【００５０】
特定された読取座標から、座標演算手段５２によって表示座標が算出される。以下では説明のため、表示画像データ４０ｂにおいて原稿Ｔに対応する画像を原稿画像Ｐと記載する。画像処理手段５３によって、座標演算手段５２の演算結果と読取画像データ４０ａとを元に表示画像データ４０ｂが作成される。
【００５１】
なお、指示入力手段６０によって、移動量の設定を指示することができ、例えば、以下の表示例１ないし表示例３（図４Ａないし図６Ｂ参照）に示すような表示画像データ４０ｂとすることができる。
【００５２】
図４Ａは、表示画像データの表示例１を示す説明図であって、図４Ｂは、表示例１を表示した読取表示面を示す説明図である。
【００５３】
表示例１において、原稿画像Ｐの左上隅は表示座標（Ｓｘ，Ｓｙ）であり、原稿画像Ｐの右下隅は画像右隅座標（Ｓｘ＋Ｗ，Ｓｙ＋Ｈ）である。原稿Ｔの左上隅は読取座標（Ｓｘ，Ｓｙ）であって、表示座標は、読取座標に対して移動量（０，０）となるように設定されている。
【００５４】
表示例１を読取表示面１０に表示したとき（図４Ｂ参照）、原稿Ｔの読取座標（Ｓｘ，Ｓｙ）と原稿画像Ｐの表示座標（Ｓｘ，Ｓｙ）とが一致している。
【００５５】
上述したように、移動量は、読取座標により特定される位置と表示座標により特定される位置とが一致するように設定されている。この構成によると、読取表示面に載置した原稿と、読取表示面に表示された原稿の画像とが重なるため、読み取り可能な原稿のサイズを大きくすることができる。つまり、読取表示面において、原稿を読み取った領域と同じ領域に原稿の画像が表示されるので、原稿の画像を表示するための新たな領域を設ける必要が無い。そのため、読取表示面と略等しいサイズの原稿を読み取って、表示することができる。
【００５６】
図５Ａは、表示画像データの表示例２を示す説明図であって、図５Ｂは、表示例２を表示した読取表示面を示す説明図である。
【００５７】
表示例２において、原稿画像Ｐの左上隅は表示座標（Ｓｘ＋ｄｘ，Ｓｙ＋ｄｙ）であり、原稿画像Ｐの右下隅は画像右隅座標（Ｓｘ＋ｄｘ＋Ｗ，Ｓｙ＋ｄｙ＋Ｈ）である。原稿Ｔの左上隅は読取座標（Ｓｘ，Ｓｙ）であって、表示座標は、読取座標に対して移動量（ｄｘ，ｄｙ）となるように設定されている。なお、ｄｘおよびｄｙは任意の値であって、指示入力手段６０によって、適宜入力または選択することができる。
【００５８】
表示例２を読取表示面１０に表示したとき（図５Ｂ参照）、原稿Ｔの読取座標（Ｓｘ，Ｓｙ）であることから、原稿画像Ｐは、原稿Ｔと異なる座標に表示されている。
【００５９】
上述したように、移動量は、読取座標により特定される位置と表示座標により特定される位置とが異なる位置となるように設定されている。この構成によると、読取表示面に表示画像が表示されたとき、ユーザは原稿と原稿の画像との両方を視覚的に把握できるので、原稿の読み取りが完了したことをすばやく認知できる。
【００６０】
図６Ａは、表示画像データの表示例３を示す説明図であって、図６Ｂは、表示例３を表示した読取表示面を示す説明図である。
【００６１】
表示例３において、原稿画像Ｐの左上隅は表示座標（Ｓｘ＋０．０１Ｗ，Ｓｙ＋０．０１Ｈ）であり、原稿画像Ｐの右下隅は画像右隅座標（Ｓｘ＋０．０１Ｗ＋Ｗ，Ｓｙ＋０．０１Ｈ＋Ｈ）である。原稿Ｔの左上隅は読取座標（Ｓｘ，Ｓｙ）であって、表示座標は、読取座標に対して移動量（０．０１Ｗ，０．０１Ｈ）となるように設定されている。本実施の形態においては、移動量を原稿の大きさの１％としたが、本発明はこれに限定されず、例えば、移動量を原稿の大きさの１０％とするなど、指示入力手段６０によって、適宜入力または選択することができる。
【００６２】
表示例３を読取表示面１０に表示したとき（図６Ｂ参照）、原稿Ｔの読取座標（Ｓｘ，Ｓｙ）であることから、原稿画像Ｐは、原稿Ｔと異なる座標に表示されている。
【００６３】
上述したように、画像解析手段５１は、原稿の大きさを特定する構成とされ、移動量は、原稿の大きさを元に設定されている。この構成によると、読取表示面に表示画像が表示されたとき、ユーザは原稿と原稿の画像との両方を視覚的に把握できるので、原稿の読み取りが完了したことをすばやく認知できる。また、原稿のサイズに関わらず、原稿の画像は、原稿に近い位置に表示されるので、ユーザからの見た目に統一感を持たせることができる。
【００６４】
図７は、本実施の形態に係る読取表示装置で、原稿の読み取りと表示とをする場合の処理フローを示すフロー図であって、Ｓ１からＳ７まで順次処理されていく。
【００６５】
まず、ステップＳ１では、ユーザは原稿Ｔを読取表示面１０の上に載置する（図３参照）。
【００６６】
ステップＳ２では、読取表示面１０によって、原稿Ｔの読み取りを行う。つまり、ユーザが指示入力手段６０を操作して、入力制御手段７０からスキャンの開始が指示される。そして、読取手段２０は、読取表示面１０全体の走査を開始して、スキャンした読取画像データ４０ａを画像データベース４０に転送する。具体的には、読取面１０ａの１つのフォトダイオードセンサが１つのピクセルに相当し、２次元状に配列された全てのフォトダイオードセンサから得られた情報を転送して、読取画像データ４０ａの転送が完了する。
【００６７】
ステップＳ３では、読取手段２０から転送された読取画像データ４０ａが、画像データベース４０に保存される。
【００６８】
ステップＳ４では、画像解析手段５１によって、読取画像データ４０ａが解析される。つまり、画像解析手段５１は、読取画像データ４０ａにおける原稿の外周を判定するために、原稿のエッジ検出を行う。なお、エッジ検出については公知の方法を用いており、例えば、傾き補正やＯＣＲ（Ｏｐｔｉｃａｌ  Ｃｈａｒａｃｔｅｒ  Ｒｅｃｏｇｎｉｔｉｏｎ：光学文字認識）などの前処理で行われる方法を適用することができる。
【００６９】
ステップＳ５では、移動量設定手段５４により設定された移動量に基づいて、座標演算手段５２は表示座標を算出する。なお、ユーザは、移動量を設定するための指示を指示入力手段６０に入力することができ、入力された指示は入力制御手段７０によってＣＰＵ５０に通知される。移動量を設定することによって、表示画像データ４０ｂを表示例１ないし表示例３（図４Ａ、図５Ａおよび図６Ａ参照）のいずれかその他の設定とすることができる。なお、読取面１０ａと表示面１０ｂとで解像度が異なる場合や、読取面１０ａと表示面１０ｂとで座標空間が異なる場合は、座標演算手段５２により座標を変換する演算を施せばよい。
【００７０】
ステップＳ６では、画像処理手段５３によって、読取画像データ４０ａを元に表示画像データ４０ｂが作成される。なお、画像処理手段５３によって、例えば、カラー画像をモノクロ画像に変換することや色の濃度を変化することなど、公知の画像処理を施してもよい。
【００７１】
ステップＳ７では、表示手段３０に表示画像データ４０ｂが表示される。なお、予め読取画像データ４０ａを表示手段３０に表示した後、表示画像データ４０ｂが作成されたときに、表示画像データ４０ｂを表示手段３０に表示してもよい。
【００７２】
なお、本実施の形態での各ステップは、読取表示装置１にインストールしてあるコンピュータプログラムを用いて実行することができる。
【００７３】
本実施の形態に係る読取表示方法は、読取表示装置１に、載置された原稿を読み取る読取面１０ａと画像を表示する表示面１０ｂとが一体とされた読取表示面１０での読取および表示をさせるため、読取表示装置１（読取手段）に、読取表示面１０の上の原稿を読取画像データ４０ａとして読み取らせる読取ステップと、読取表示装置１（画像解析手段）に、読取画像データ４０ａを解析して、原稿の読取表示面１０での読取座標を特定させる画像解析ステップと、読取表示装置１（座標演算手段）に、読取座標に基づいて、読取表示面１０に表示する際の読取表示面１０での表示座標を演算させる座標演算ステップと、読取表示装置１（画像処理手段）に、座標演算ステップの演算結果に基づいて、読取画像データ４０ａを元に表示画像データ４０ｂを作成させる画像処理ステップと、読取表示装置１（表示手段）に、表示画像データ４０ｂを読取表示面１０に表示させる表示ステップとを実行させる。この構成によると、本発明に係る読取表示装置と同様の機能、作用を実現することができる。
【００７４】
本実施の形態に係る読取表示方法では、座標演算ステップは、読取表示装置１に、読取座標に対して予め設定された移動量に基づく演算を施して表示座標を算出させる。
【００７５】
本実施の形態に係る読取表示方法では、移動量は、読取座標と表示座標とが同じ座標となるように設定されている。
【００７６】
本実施の形態に係る読取表示方法では、移動量は、読取座標と表示座標とが異なる座標となるように設定されている。
【００７７】
本実施の形態に係る読取表示方法では、画像解析ステップは、読取表示装置１に、原稿の大きさを特定させ、移動量は、前記原稿の大きさを元に設定されている。
【００７８】
本実施の形態に係る読取表示方法では、読取表示装置１に、移動量を設定するための移動量設定ステップをさらに実行させる。
【００７９】
本実施の形態に係るコンピュータプログラムは、コンピュータに、載置された原稿を読み取る読取面１０ａと画像を表示する表示面１０ｂとが一体とされた読取表示面１０での読取および表示をさせるため、コンピュータに、読取表示面１０の上の原稿を読取画像データ４０ａとして読み取らせる読取ステップと、コンピュータに、読取画像データ４０ａを解析して、原稿の読取表示面１０での読取座標を特定させる画像解析ステップと、コンピュータに、読取座標に基づいて、読取表示面１０に表示する際の読取表示面１０での表示座標を演算させる座標演算ステップと、読取表示装置に１、座標演算ステップの演算結果に基づいて、読取画像データ４０ａを元に表示画像データ４０ｂを作成させる画像処理ステップと、コンピュータに、表示画像データ４０ｂを読取表示面１０に表示させる表示ステップとを実行させる。この構成によると、本発明に係る読取表示装置と同様の機能、作用を実現することができる。
【００８０】
本実施の形態に係るコンピュータプログラムでは、座標演算ステップは、コンピュータに、読取座標に対して予め設定された移動量に基づく演算を施して表示座標を算出させる。
【００８１】
本実施の形態に係るコンピュータプログラムでは、移動量は、読取座標と表示座標とが同じ座標となるように設定されている。
【００８２】
本実施の形態に係るコンピュータプログラムでは、移動量は、読取座標と表示座標とが異なる座標となるように設定されている。
【００８３】
本実施の形態に係るコンピュータプログラムでは、画像解析ステップは、コンピュータに、原稿の大きさを特定させ、移動量は、前記原稿の大きさを元に設定されている。
【００８４】
本実施の形態に係るコンピュータプログラムでは、コンピュータに、移動量を設定するための移動量設定ステップをさらに実行させる。
【符号の説明】
【００８５】
１  読取表示装置
１０  読取表示面
１０ａ  読取面
１０ｂ  表示面
２０  読取手段
３０  表示手段
４０  画像データベース
４０ａ  読取画像データ
４０ｂ  表示画像データ
５０  ＣＰＵ
５１  画像解析手段
５２  座標演算手段
５３  画像処理手段
５４  移動量設定手段
６０  指示入力手段
７０  入力制御手段
【図１】
2011239350.tif 000003
【図２】
2011239350.tif 000004
【図３】
2011239350.tif 000005
【図４Ａ】
2011239350.tif 000006
【図４Ｂ】
2011239350.tif 000007
【図５Ａ】
2011239350.tif 000008
【図５Ｂ】
2011239350.tif 000009
【図６Ａ】
2011239350.tif 000010
【図６Ｂ】
2011239350.tif 000011
【図７】
2011239350.tif 000012